(57)【要約】【課題】コマ玩具を容易に発射することが可能なコマ玩具発射装置を提供する。【解決手段】回転部１１と共に回転する一次回転部２４と、ホルダー部７と共に回転、および、スライドする二次回転部２５と、を備え、一次回転部２４は、回転部１１の回転方向前方を向いて、二次回転部２５を回転方向前方に向かって押圧する押圧面２６と、回転部１１の減速又は停止に伴って一次回転部２４が減速又は停止した際に、コマ玩具２の慣性によりコマ玩具２を押圧する方向に二次回転部２５をスライドさせる案内面２７と、を備え、二次回転部２５は、押圧面２６に押圧される被押圧面２８と、案内面２７に案内される被案内面２９と、を備える。【選択図】図２
2015231489.tif 000002
【特許請求の範囲】
【請求項１】
ユーザの操作入力を一方向の回転動力に変換して回転部を回転させるとともに、ユーザの操作入力が完了した際に前記回転部を減速又は停止させる回転動力付与部と、
前記回転部に固定されて金属製のコマ玩具を保持可能な磁石部と、
前記磁石部に保持された前記コマ玩具の上面を相対回転不能に覆うとともに、前記回転動力付与部および前記磁石部に対して前記回転部の軸線方向にスライド可能とされ、前記磁石部に保持された前記コマ玩具の上面を押圧可能なホルダー部と、
前記回転部の回転を前記ホルダー部に伝達する伝達部と、を備え、
前記伝達部は、
前記回転部と共に回転する一次回転部と、
前記ホルダー部と共に回転、および、スライドする二次回転部と、を備え、
前記一次回転部は、
前記回転部の回転方向前方を向いて、前記二次回転部を回転方向前方に向かって押圧する押圧面と、
前記回転部の減速又は停止に伴って前記一次回転部が減速又は停止した際に、少なくとも前記コマ玩具の慣性により前記コマ玩具を押圧する方向に前記二次回転部をスライドさせる案内面と、を備え、
前記二次回転部は、
前記押圧面に押圧される被押圧面と、
前記案内面に案内される被案内面と、を備えるコマ玩具発射装置。
【請求項２】
前記回転動力付与部は、
紐と、
前記紐の端部が固定されて前記紐を巻回および引き出し可能とされ、前記回転部と共に回転可能な巻回部と、を備える請求項１に記載のコマ玩具発射装置。
【請求項３】
前記巻回部を、前記紐の巻き取り方向に付勢する巻き取り機構を備える請求項２に記載のコマ玩具発射装置。
【請求項４】
前記巻回部、および、前記伝達部を外側から覆うケーシングと、
前記ケーシングの前記巻回部側の端部から前記回転部の軸線と交差する方向に延びるグリップ部と、を備え、
前記グリップ部の内部に前記巻き取り機構を備える請求項３に記載のコマ玩具発射装置。
【請求項５】
前記一次回転部は、前記押圧面および前記案内面を周方向に交互に備え、
前記二次回転部は、前記被押圧面および前記被案内面を周方向に交互に備える請求項１から４の何れか一項に記載のコマ玩具発射装置。
【発明の詳細な説明】
【技術分野】
【０００１】
この発明は、コマ玩具を発射するコマ玩具発射装置に関する。
【背景技術】
【０００２】
コマ玩具にあっては、鋳鉄等により円錐状に形成されるいわゆるベーゴマが知られている。このベーゴマは、上面ならびに底面に棒状の軸が突出していない。そのため、最も一般的な紐の巻き方では、まず紐に数ｃｍ程度離した２つの結び目を形成する。次いで、これら結び目をベーゴマの頂部を基準とする対称位置に配置させる。その後、これら２つの結び目の外周側に引っ掛けるようにしてベーゴマの底面に沿って内周から外周に向かって紐を順次巻き付ける。
このような軸を有さないベーゴマに紐を巻き付ける際には、円錐部分で紐が滑ってベーゴマから紐が外れやすい。そのため、ベーゴマを回すためには熟練を要してしまう。
【０００３】
そこで、特許文献１には、外周部分に紐を巻き付けるための溝を設けて、容易且つ堅固に紐を巻き付けることが可能なベーゴマが提案されている。
【先行技術文献】
【特許文献】
【０００４】
【特許文献１】実用新案登録第３０８７６９０号公報
【発明の概要】
【発明が解決しようとする課題】
【０００５】
しかしながら、上述した特許文献１のベーゴマは、外周部分に溝を設けているため、溝の幅を確保する分だけ重心が高くなり、対戦相手のベーゴマにはじき出されるなど不利になる場合がある。また、ベーゴマの外周部分に溝を設けることで、複雑な形状になることから製造コストが上昇する可能性がある。
さらに、特許文献１のベーゴマは、紐を巻き付けることができるものの、ベーゴマを回転させるためには、投げ方などにコツが必要であり、ベーゴマの普及にとって支障となっている。
この発明は、上記事情に鑑みてなされたものであり、コマ玩具を容易に発射することが可能なコマ玩具発射装置を提供することを目的とする。
【課題を解決するための手段】
【０００６】
この発明の第一の態様によれば、コマ玩具発射装置は、ユーザの操作入力を一方向の回転動力に変換して回転部を回転させるとともに、ユーザの操作入力が完了した際に前記回転部を減速又は停止させる回転動力付与部と、前記回転部に固定されて金属製のコマ玩具を保持可能な磁石部と、前記磁石部に保持された前記コマ玩具の上面を相対回転不能に覆うとともに、前記回転動力付与部および前記磁石部に対して前記回転部の軸線方向にスライド可能とされ、前記磁石部に保持された前記コマ玩具の上面を押圧可能なホルダー部と、前記回転部の回転を前記ホルダー部に伝達する伝達部と、を備え、前記伝達部は、前記回転部と共に回転する一次回転部と、前記ホルダー部と共に回転、および、スライドする二次回転部と、を備え、前記一次回転部は、前記回転部の回転方向前方を向いて、前記二次回転部を回転方向前方に向かって押圧する押圧面と、前記回転部の減速又は停止に伴って前記一次回転部が減速又は停止した際に、前記コマ玩具の慣性により前記コマ玩具を押圧する方向に前記二次回転部をスライドさせる案内面と、を備え、前記二次回転部は、前記押圧面に押圧される被押圧面と、前記案内面に案内される被案内面と、を備える。
このように構成することで、磁力によってコマ玩具を容易に保持させることができる。また、回転動力付与部により回転部を回転させることで、伝達部の一次回転部を回転部と共に回転させることができる。そのため、一次回転部の押圧面によって二次回転部の被押圧面が押圧されて一次回転部と共に二次回転部を回転させることができる。これによりコマ玩具をホルダー部によって回転させることができる。一方で、ユーザの操作入力が停止して回転部が減速又は停止すると、コマ玩具の慣性によって二次回転部が回転を継続しようとする。その際、一次回転部の案内面に沿って二次回転部の被案内面が案内されて、二次回転部が一次回転部から離間する方向にスライド変位する。そのため、ホルダー部が磁石によって保持されたコマ玩具を軸線方向に押圧し、磁石によるコマ玩具の保持が外れて、コマ玩具が回転を維持したままホルダー部から、回転軸方向に離脱することとなる。したがって、コマ玩具を容易に発射することができる。
【０００７】
この発明の第二の態様によれば、コマ玩具発射装置は、第一の態様における回転動力付与部が、前記紐の端部が固定されて前記紐を巻回および引き出し可能とされ、前記回転部と共に回転可能な巻回部と、を備えていてもよい。
このように構成することで、巻回部に巻回された紐を引っ張るだけで、回転部を回転させることができる。また、紐の端部が巻回部に固定されているため、巻回部から紐を全て引き出すことで巻回部の回転を減速又は停止させることができる。その結果、簡単な構成で回転動力付与部を形成することができる。
【０００８】
この発明の第三の態様によれば、コマ玩具発射装置は、第二の態様において、前記巻回部を、前記紐の巻き取り方向に付勢する巻き取り機構を備えていてもよい。
このように構成することで、巻回部から引き出された紐を手から離すだけで、自動的に巻回部に巻き取らせることができる。したがって、巻回部へ紐を巻回する作業を省略することができるため、ユーザの負担を軽減することができる。また、迅速にコマ玩具を発射することができる。
【０００９】
この発明の第四の態様によれば、コマ玩具発射装置は、第三態様において、前記巻回部、および、前記伝達部を外側から覆うケーシングと、前記ケーシングの前記巻回部側の端部から前記回転軸と交差する方向に延びるグリップ部と、を備え、前記グリップ部の内部に前記巻き取り機構を備えていてもよい。
このように構成することで、グリップ部をユーザが容易に把持できるため、操作性を向上できる。また、グリップ部の内部に巻き取り機構を備えていることで、グリップ部の内部空間を有効利用できるため、巻き取り機構をグリップ部以外の箇所に配する場合と比較して小型化を図ることができる。
【００１０】
この発明の第五の態様によれば、コマ玩具発射装置は、第一から第四の何れか一つの態様における前記一次回転部が、前記押圧面および前記案内面を周方向に交互に備え、前記二次回転部が、前記被押圧面および前記被案内面を周方向に交互に備えていてもよい。
このように構成することで、一次回転部の押圧面と案内面が周方向に交互に配されるため、複数の押圧面及び複数の案内面を効率よく配置することができる。また、二次回転部の被押圧面と被案内面とが一次回転部と同様に周方向に交互に配されるため、一次回転部からの押圧力を周方向で均等に受けることができる。さらに、回転部が減速又は停止した際には、コマ玩具の慣性により周方向で均等に二次回転部を一次回転部から離間させることができる。そのため、一次回転部に対して二次回転部が斜めになってコマ玩具が磁石から外れる際に、コマ玩具が意図しない姿勢になることを低減できる。
【発明の効果】
【００１１】
上記コマ玩具発射装置によれば、コマ玩具を容易に発射することが可能となる。
【図面の簡単な説明】
【００１２】
【図１】この発明の実施形態におけるコマ玩具発射装置の斜視図である。
【図２】この発明の実施形態におけるコマ玩具発射装置の断面図であって、ベーゴマを未装着の状態を示している。
【図３】この発明の実施形態におけるコマ玩具発射装置にベーゴマを装着した状態を示す図２に相当する断面図である。
【図４】この発明の実施形態におけるコマ玩具発射装置の紐を引き出している途中の状態を示す図２に相当する断面図である。
【図５】この発明の実施形態におけるコマ玩具発射装置の紐を引き出し終えて巻回部が減速又は停止した状態を示す図２に相当する断面図である。
【図６】この発明の実施形態におけるコマ玩具発射装置の断面図であって、ベーゴマを発射した状態を示している。
【発明を実施するための形態】
【００１３】
以下、この発明の一実施形態に係るコマ玩具発射装置について説明する。
図１は、この発明の実施形態におけるコマ玩具発射装置の斜視図である。図２は、この発明の実施形態におけるコマ玩具発射装置の断面図であって、ベーゴマを未装着の状態を示している。
【００１４】
図１、図２に示すように、この実施形態におけるコマ玩具発射装置１は、鋳鉄により形成されたいわゆるベーゴマ２をコマ玩具として回転発射する装置である。ベーゴマ２は略円錐状に形成された底面部２ａと、回転軸Ｏ１と交差する上面部２ｂとを備えている。また、ベーゴマ２は、上面部２ｂと底面部２ａとの間に、６角形や８角形などの多角柱状の周面部２ｃを備えている。
【００１５】
コマ玩具発射装置１は、発射装置本体部３と、グリップ部４とを備えている。
発射装置本体部３は、回転動力付与部５と、磁石部６と、ホルダー部７と、伝達部８と、ケーシング９と、をそれぞれ備えている。
【００１６】
回転動力付与部５は、紐１０と、巻回部（回転部）１１と、支持軸部１５と、を備えている。
紐１０は、ユーザが操作力を付与するために操作する部材である。この実施形態における紐１０には、ユーザが操作指を引っ掛け易いように、リング部材Ｒが取り付けられている。紐１０は、ユーザによる繰り返し操作で破断しない強度、および、巻回部１１に容易に巻き付け可能な柔軟性をそれぞれ有している。
【００１７】
巻回部１１は、紐１０を巻回および引き出し可能なように、グリップ部４の軸受部１３とケーシング９の軸受部１４とによって、その軸線Ｏ２周りに回転可能に支持されている。巻回部１１は、巻き取り部１１ａと、つば部１１ｂとを備えている。
巻き取り部１１ａは、円筒状に形成されている。この巻き取り部１１ａの外周面には、紐１０の端部１０ａが固定されている（図５参照）。
【００１８】
つば部１１ｂは、巻き取り部１１ａの軸線Ｏ２方向の両側から径方向外側に延びるように形成されている。つまり、巻回部１１によって巻回される紐１０は、巻き取り部１１ａとつば部１１ｂとにより形成される凹状の空間部１２に収容される。
【００１９】
支持軸部１５は、一方のつば部１１ｂから軸線Ｏ２に沿って延びている。この支持軸部１５は、軸線Ｏ２を中心軸とする円柱状に形成されている。
【００２０】
つまり、回転動力付与部５によれば、ユーザの操作入力として、巻回部１１に巻回された紐１０を引っ張り出す操作が行われると、その力が巻回部１１に対する一方向の回転動力に変換される。一方で、ユーザの操作入力が完了した際、すなわち紐１０が全て引き出された際には、紐１０の端部１０ａが巻き取り部１１ａに固定されているために、巻回部１１が減速又は停止する。
【００２１】
磁石部６は、ベーゴマ２をその磁力により着脱可能に保持する。この磁石部６は、巻回部１１よりも小径な円盤状に形成されている。磁石部６は、支持軸部１５の端部に固定されている。より具体的には、磁石部６の中心が、支持軸部１５の中心軸の延長上に配されるようにして磁石部６が支持軸部１５に固定されている。
【００２２】
ホルダー部７は、磁石部６に保持されたベーゴマ２の上面を相対回転不能に覆う。このホルダー部７は、回転動力付与部５の巻回部１１、および、支持軸部１５と、磁石部６とに対して軸線Ｏ２方向にスライド可能とされている。より具体的には、ホルダー部７は、回転動力付与部５の支持軸部１５に対して回転、および、スライド自在に支持されている。ホルダー部７は、本体部１７と、回転規制部１８と、を備えている。
【００２３】
図２に示すように、本体部１７は、上述した磁石部６を収容する。本体部１７は、磁石部６よりも大径な内径を有する有底円筒状に形成されている。この本体部１７は、その内部において、磁石部６を、ベーゴマ２を保持する保持位置（図３参照）から、ベーゴマ２を保持しない非保持位置（図２参照）まで相対的にスライド可能に収容する。本体部１７の底部１９は、その中央部に軸線Ｏ２方向に貫通する貫通孔２０を備えている。この貫通孔２０には、支持軸部１５がスライド可能に挿通されている。貫通孔２０は、磁石部６よりも十分に小径に形成されている。そのため、ホルダー部７は、その自重によって下方にスライドした際に、磁石部６が底部１９に突き当たる。そのため、ホルダー部７がそれ以上下方へスライドすることが規制される。
【００２４】
回転規制部１８は、磁石部６に保持されたベーゴマ２の上面を相対回転不能に覆う。回転規制部１８の外径は、本体部１７の外径よりも大きく形成されている。より具体的には、回転規制部１８は、保持対象となるベーゴマ２の上面よりも大径に形成されている。回転規制部１８は、本体部１７のベーゴマ２が保持される側の端縁から軸線Ｏ２の径方向外側に延びる押圧部２１を備えている。この押圧部２１は、例えば、ベーゴマ２が磁石に保持された状態のときに、ホルダー部７に対して保持位置から非保持位置へスライド移動する力が作用すると、ベーゴマ２の上面を、軸線Ｏ２方向で回転動力付与部５とは反対側に押圧する。言い換えれば、押圧部２１は、ベーゴマ２が磁石部６から離脱する方向に押圧する。
【００２５】
回転規制部１８は、押圧部２１の周縁から保持されるベーゴマ２の周面部２ｃの外側に回り込む側壁部２２を更に備えている。側壁部２２は、軸線Ｏ２に平行な内周面を備える環状に形成されている。この側壁部２２の内周面は、軸線Ｏ２方向から見て、ベーゴマ２の周面部２ｃの形状よりも僅かに大きい多角形状に形成されている。つまり、ベーゴマ２の上面部２ｂを押圧部２１に対向する姿勢でベーゴマ２をホルダー部７の回転規制部１８に収容させることができる。また、ベーゴマ２を回転規制部１８内に収容させることで、回転規制部１８の側壁部２２と、ベーゴマ２の周面部２ｃとの多角形状がキーとキー溝の関係のように作用して、ベーゴマ２の軸線Ｏ２回りの回動が規制される。
【００２６】
伝達部８は、巻回部１１の回転をホルダー部７に伝達する。伝達部８は、巻回部１１と、ホルダー部７との間に配されている。この伝達部８は、一次回転部２４と、二次回転部２５とを備えている。
一次回転部２４は、支持軸部１５に固定されている。つまり、一次回転部２４は、巻回部１１と一体に形成されている。そのため、一次回転部２４は、巻回部１１と共に回転する。一次回転部２４は、押圧面２６と、案内面２７と、をそれぞれ備えている。
一方で、二次回転部２５は、ホルダー部７と一体に形成される。つまり、二次回転部２５は、ホルダー部７と共に回転、および、スライドする。この二次回転部２５は、被押圧面２８と、被案内面２９と、をそれぞれ備えている。
【００２７】
一次回転部２４の押圧面２６は、巻回部１１の回転方向前方を向く面で形成される。この実施形態における押圧面２６は、軸線Ｏ２と平行な方向、および、軸線Ｏ２の径方向に延びる平面に形成されている。押圧面２６は、一次回転部２４の周方向に等間隔で配されている。
【００２８】
二次回転部２５の被押圧面２６は、押圧面２６による押圧力を受ける。この実施形態における二次回転部２５の被押圧面２６は、押圧面２６と平行な平面で形成される。被押圧面２６は、二次回転部２５の周方向に押圧面２６と同じ等間隔で配されている。これら二次回転部２５の被押圧面２６は、ホルダー部７の本体部１７が保持位置にあるときには、押圧面２６に対向する位置に配される。一方で、二次回転部２５の被押圧面２６は、ホルダー部７の本体部１７が非保持位置にあるときには、押圧面２６と軸線Ｏ２方向で重ならない互いに干渉しない離間した位置に配される。
【００２９】
つまり、一次回転部２４は、ホルダー部７の本体部１７が保持位置にあるときに押圧面２６により二次回転部２５の被押圧面２８を回転方向前方に押圧可能となる。一方で、一次回転部２４は、ホルダー部７の本体部１７が非保持位置にあるときには、押圧面２６により二次回転部２５の被押圧面２８を回転方向前方に押圧不能となる。
【００３０】
一次回転部２４の案内面２７は、巻回部１１の減速又は停止に伴って一次回転部２４が減速又は停止した際に、回転しているベーゴマ２、および、ホルダー部７の慣性によって、ホルダー部７を案内する。より具体的には、案内面２７は、上記の場合に、ホルダー部７を非保持位置までスライドさせて案内する。この実施形態における案内面２７は、回転方向後方側を向く傾斜面とされている。この実施形態における案内面２７は、周方向で隣り合う押圧面２６間、より具体的には、周方向で隣り合う押圧面２６の巻回部１１側の端部と、ホルダー部７側の端部との間を渡るように形成されている。つまり、一次回転部２４は、複数の押圧面２６と、複数の案内面２７とによってホルダー部７側を向く鋸歯状に形成されている。
【００３１】
二次回転部２５の被案内面２９は、案内面２７上をその傾斜方向にスライドして案内される。これら被案内面２９は、回転方向前方を向く傾斜面とされている。被案内面２９は、ホルダー部７が保持位置にある場合に、その全域が案内面２７に対向配置される。この実施形態における被案内面２９は、周方向で隣り合う被押圧面２８の巻回部１１側の端部と、ホルダー部７側の端部との間を渡るように形成されている。つまり、二次回転部２５も、一次回転部２４と同様に、鋸歯状に形成されている。
【００３２】
ケーシング９は、上述した巻回部１１、および、伝達部８を外側から覆う。このケーシング９は、外壁部３０と、仕切部３１と、軸受部１４と、を備えている。
外壁部３０は、巻回部１１、および、伝達部８よりも僅かに大径な内周面を有する円柱状に形成されている。この外壁部３０には、軸線Ｏ２方向で巻回部１１が配される位置に、紐１０を外部に引き出すための孔３２が形成されている。この外壁部３０の基部（巻回部１１側の端部）３０ａは、グリップ部４に固定されている。
【００３３】
仕切部３１は、巻回部１１の巻き取り部１１ａが収容される内部空間３３と、伝達部８が配される内部空間３４とを仕切っている。この実施形態における仕切部３１は、軸線Ｏ２に垂直な平板状に形成されている。仕切部３１の中央部には、支持軸部１５が挿通される孔からなる軸受部１４が形成されている。この軸受部１４は、すべり軸受けとして機能する。
【００３４】
グリップ部４は、ケーシング９の基部３０ａから軸線Ｏ２と交差する方向に延びている。グリップ部４の内部には、空間３５が形成されている。このグリップ部４の内部の空間３５には、巻き取り機構３６が収容されている。
巻き取り機構３６は、うず巻きばね３７と、平歯車３８と、を備えている。
【００３５】
うず巻きばね３４は、その弾性力によって、紐１０を巻き取る方向に巻回部１１を常時付勢する。このうず巻きばね３７の一端は、グリップ部４の縦壁３９に固定される一方で、うず巻きばね３７の他端は、平歯車３８に固定されている。また、このうず巻きばね３７は、グリップ部４により両端を支持された軸部４０を中心にして巻回されている。
【００３６】
平歯車３８は、うず巻きばね３７による弾性力を巻回部１１へ伝達する。この平歯車３８は、軸部４０周りに回転自在に支持されている。また、平歯車３８は、つば部１１ｂに一体形成された歯車４１に常時噛み合っている。つまり、うず巻きばね３７による弾性力は、それぞれの軸線が軸線Ｏ２と平行な平歯車３８および歯車４１を介して巻回部１１に伝達される。
【００３７】
この実施形態におけるコマ玩具発射装置１は、上述した構成を備えている。次にこのコマ玩具発射装置１による作用、すなわちベーゴマの発射工程を図面を参照しながら説明する。
図３は、この発明の実施形態におけるコマ玩具発射装置にベーゴマを装着した状態を示す図２に相当する断面図である。図４は、この発明の実施形態におけるコマ玩具発射装置の紐を引き出している途中の状態を示す図２相当する断面図である。図５は、この発明の実施形態におけるコマ玩具発射装置の紐を引き出し終えて巻回部が減速又は停止した状態を示す図２に相当する断面図である。図６は、この発明の実施形態におけるコマ玩具発射装置の断面図であって、ベーゴマを発射した状態を示している。
【００３８】
図２に示すように、例えば、グリップ部４を上方に配置した状態では、ホルダー部７の自重により、一次回転部２４と二次回転部２５とが離間した状態となる。この状態から、ホルダー部７の本体部１７にベーゴマ２を嵌め合わせて、磁石部６側に押圧する。すると、ホルダー部７が巻回部１１側にスライドして、図３に示すように、ベーゴマ２が磁力により磁石部６に保持される状態となる。この際、一次回転部２４と二次回転部２５とは、互いの鋸歯状の部分同士が噛み合う状態となる。
【００３９】
次いで、図４に示すように、紐１０を巻回部１１から勢いよく引き出す。すると、一次回転部２４の押圧面２６が二次回転部２５の被押圧面２８を回転方向前方に押圧して、ホルダー部７が巻回部１１と共に回転する。その結果、ホルダー部７と共に、ベーゴマ２も回転する。
【００４０】
その後、紐１０を巻回部１１から出し切ると、図５に示すように、巻回部１１が減速又は停止する。つまり、巻回部１１には、急激な回転速度の低下が生じる。この際、主にベーゴマ２の慣性により、ホルダー部７は、回転速度を維持しようとする。そのため、二次回転部２５は、一次回転部２４の案内面２７に沿って回転方向前方（図５中、矢印で示す方向）へとスライド移動する。すると、案内面２７の傾斜によって二次回転部２５、すなわちホルダー部７が軸線Ｏ２方向の非保持位置側にスライド移動する。この際、ホルダー部７の押圧部２１がベーゴマ２の上面部２ｂを押圧して、磁石部６からベーゴマ２が離間される。つまり、磁石部６によるベーゴマ２の保持が解除される。これにより、図６に示すように、ベーゴマ２が自重により回転を維持したままホルダー部７から離脱することとなる。ここで、ベーゴマ２を発射した後、ユーザがリング部材Ｒから手を離すと、巻き取り機構３６によって紐１０が巻回部１１に巻き取られて、図２に示す状態に戻る。
【００４１】
したがって、上述した実施形態のコマ玩具発射装置１によれば、磁石部６の磁力によってコマ玩具を容易に保持させることができる。
また、回転動力付与部５により巻回部１１を回転させることで、伝達部８の一次回転部２４を巻回部１１と共に回転させることができる。そのため、一次回転部２４の押圧面２６によって二次回転部２５の被押圧面２８が押圧されて一次回転部２４と共に二次回転部２５を回転させることができる。これによりベーゴマ２をホルダー部７によって回転させることができる。
【００４２】
一方で、ユーザの操作入力が停止して巻回部１１が減速又は停止すると、ベーゴマ２の慣性によって二次回転部２５が回転を継続しようとするが、その際、一次回転部２４の案内面２７に沿って二次回転部２５の被案内面２９が案内されて、二次回転部２５が一次回転部２４から離間する方向にスライド変位する。そのため、ホルダー部７が磁石部６によって保持されたベーゴマ２を軸線Ｏ２方向に押圧し、磁石部６によるベーゴマ２の保持が外れて、ベーゴマ２が回転を維持したままホルダー部７から、軸線Ｏ２方向に離脱することとなる。その結果、ベーゴマ２を容易に発射することができる。
【００４３】
さらに、巻回部１１に巻回された紐１０を引っ張るだけで、巻回部１１を回転させることができる。また、紐１０の端部１０ａが巻回部１１に固定されているため、巻回部１１から紐１０を全て引き出すことで巻回部１１の回転を減速又は停止させることができる。その結果、簡単な構成で回転動力付与部５を形成することができる。
【００４４】
また、巻回部１１から引き出された紐１０を手から離すだけで、自動的に巻回部１１に巻き取らせることができるため、巻回部１１へ紐１０を巻回する作業を省略することができる。その結果、ユーザの負担を軽減することができる。また、迅速にコマ玩具を発射することができる。
【００４５】
さらに、グリップ部４をユーザが容易に把持できるため、操作性を向上できる。また、グリップ部４の内部に巻き取り機構３６を収容しているため、グリップ部４の内部空間を有効利用できる。そのため、巻き取り機構３６をグリップ部４以外の箇所に配する場合と比較して小型化を図ることができる。
【００４６】
また、一次回転部２４の押圧面２６と案内面２７が周方向に交互に配されているため、複数の押圧面２６及び複数の案内面２７を効率よく配置することができる。また、二次回転部２５の被押圧面２８と被案内面２９とが一次回転部２４の押圧面２６および案内面２７と同様に周方向に交互に配されるため、一次回転部２４からの押圧力を周方向で均等に受けることができる。さらに、巻回部１１が減速又は停止した際には、ベーゴマ２の慣性により周方向で均等に二次回転部２５を一次回転部２４から離間させることができる。そのため、一次回転部２４に対して二次回転部２５が斜めになってベーゴマ２が磁石部６から外れる際に、ベーゴマ２が意図しない姿勢になることを低減できる。
【００４７】
なお、この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００４８】
例えば、上述した各実施形態においては、回転動力付与部５として、紐１０を巻回部１１から引き出す構成を備える場合を一例に説明した。しかし、回転動力付与部５の構成はこれに限られない。例えば、ラックアンドピニオンや、増速機構などを用いて、ユーザの操作力を回転動力に変換して得るようにしてもよい。
【００４９】
また、上述した実施形態においては、一次回転部２４に複数の押圧面２６と複数の案内面２７を形成する場合について説明した。しかし、押圧面２６および案内面２７は、一つ以上形成されていればよく、複数に限られない。二次回転部２５の被押圧面２８、被案内面２９も同様である。
【００５０】
さらに、上述した実施形態においては、グリップ部４がケーシング９の基部９ａから軸線Ｏ２に交差する方向に延びる場合について説明した。しかし、グリップ部４は、この形状に限られない。例えば、グリップ部４がケーシング９の基部９ａから、軸線Ｏ２に交差する複数の方向に延びるように形成してもよい。
【００５１】
さらに、上述した実施形態においては、紐１０を巻き取るための巻き取り機構３６を備える場合について説明したが、巻き取り機構３６は省略してもよい。
また、上述した実施形態においては、発射するコマ玩具として、鋳鉄により形成されたベーゴマ２を一例に説明した。しかし、コマ玩具は、ベーゴマ２に限られない。また、鋳鉄により形成されたコマ玩具にも限られない。例えば、少なくとも上面が磁力によって保持可能な材質で、上縁が多角形状のコマ玩具であれば、ベーゴマ２以外のコマ玩具であってもこの発明のコマ玩具発射装置を適用することができる。
【符号の説明】
【００５２】
１  コマ玩具発射装置
２  ベーゴマ（コマ玩具）
２ａ  底面部
２ｂ  上面部
２ｃ  周面部
３  発射装置本体部
４  グリップ部
５  回転動力付与部
６  磁石部
７  ホルダー部
８  伝達部
９  ケーシング
１０  紐
１０ａ  端部
１１  巻回部
１１ａ  巻き取り部
１１ｂ  つば部
１３  軸受部
１２  空間部
１４  軸受部
１５  支持軸部
１７  本体部
１８  回転規制部
１９  底部
２０  貫通孔
２１  押圧部
２２  側壁部
２４  一次回転部
２５  二次回転部
２６  押圧面
２７  案内面
２８  被押圧面
２９  被案内面
３０  外壁部
３０ａ  基部
３１  仕切部
３２  孔
３３  空間
３４  空間
３５  空間
３６  巻き取り機構
３７  うず巻きばね
３８  平歯車
３９  縦壁
４０  軸部
【図１】
2015231489.tif 000003
【図２】
2015231489.tif 000004
【図３】
2015231489.tif 000005
【図４】
2015231489.tif 000006
【図５】
2015231489.tif 000007
【図６】
2015231489.tif 000008